(57)【要約】      （修正有）【課題】理想的な正しい睡眠をとるための枕を提供する。【解決手段】２層芯材枕１０は、カバー部材１９を被せてその中に枕用芯材２０，３０を２層備えている。枕用芯材２０は、頭部支持部と首部支持部とサイド部を設ける。同様に、枕用芯材３０は、頭部支持部と首部支持部とサイド部を設ける。そして、枕用芯材２０の各構成部にはパイプ材を、枕用芯材３０の各構成部にはウールノップスを各々詰め込む。【選択図】図１
0003145973.tif 000002
【実用新案登録請求の範囲】
【請求項１】
頭部を支持する頭部支持部と、頭部支持部の下端側に首部を支持する首部支持部と、頭部支持部および首部支持部の両側に設けられたサイド部とを備えた枕用芯材を２層備えたことを特徴とする２層芯材枕。
【請求項２】
少なくとも１層の枕用芯材の頭部支持部の縦中心線上に凹状の後頭部フィットラインを形成したことを特徴とする請求項１記載の２層芯材枕。
【請求項３】
少なくとも１層の枕用芯材のサイド部を縦二分割に形成したことを特徴とする請求項１又は２記載の２層芯材枕。
【請求項４】
枕用芯材の下端側を湾曲させて肩フィットラインを形成したことを特徴とする請求項１から３のいずれかに記載の２層芯材枕。
【請求項５】
頭部支持部，首部支持部，サイド部は、それぞれ袋状に形成され、その中に詰物を詰め込み膨出させたことを特徴とする請求項１から４のいずれかに記載の２層芯材枕。
【請求項６】
詰物は、ウールノップス，パイプ材，ビーズ材を単独又は組み合わせて使用したことを特徴とする請求項５記載の２層芯材枕。
【請求項７】
枕用芯材の側生地に３次元立体メッシュを使用したことを特徴とする請求項１から６のいずれかに記載の２層芯材枕。
【考案の詳細な説明】
【技術分野】
【０００１】
本考案は、理想的な正しい睡眠をとることのできる枕に関する技術である。
【背景技術】
【０００２】
睡眠時間のとれない現代人にあっては、質の良い睡眠をとることが重要となってくる。
しかしながら、正しい枕をしていないために、腰痛や肩こり・浅い呼吸の胸呼吸などにより全身が疲れてしまっている人が結構多く、また、健康面だけでなく、首のシワの原因など美容上の問題になることもある。このような観点から、近年枕に対する関心が高く、特許文献１に記載されているような、体形にフィットした自然な状態で就寝できる枕などが種々開発されている。
【０００３】
【特許文献１】特開２０００−３５０６４９号公報
【考案の開示】
【考案が解決しようとする課題】
【０００４】
理想的な正しい睡眠とは、全身がリラックスし、ゆったりと腹式呼吸のできる自然な姿勢をとることにある。ゆっくりと深い呼吸のできる腹式呼吸は、眠りの呼吸とも言え、精神的にも安らぎのある呼吸である。また、腹式呼吸は鼻呼吸になるので、感染症の問題やいびきの緩和にもなる。本考案者は、この理想的な正しい睡眠をとるための枕に関する技術を提供するものである。
【課題を解決するための手段】
【０００５】
そこで、第１の考案は、頭部を支持する頭部支持部と、頭部支持部の下端側に首部を支持する首部支持部と、頭部支持部および首部支持部の両側に設けられたサイド部とを備えた枕用芯材を２層備えたことを特徴とする２層芯材枕である。
第２の考案は、少なくとも１層の枕用芯材の頭部支持部の縦中心線上に凹状の後頭部フィットラインを形成したことを特徴とする同２層芯材枕である。
第３の考案は、少なくとも１層の枕用芯材のサイド部を縦二分割に形成したことを特徴とする同２層芯材枕である。
第４の考案は、枕用芯材の下端側を湾曲させて肩フィットラインを形成したことを特徴とする同２層芯材枕である。
第５の考案は、頭部支持部，首部支持部，サイド部は、それぞれ袋状に形成され、その中に詰物を詰め込み膨出させたことを特徴とする同２層芯材枕である。
第６の考案は、詰物は、ウールノップス，パイプ材，ビーズ材を単独又は組み合わせて使用したことを特徴とする同２層芯材枕である。
第７の考案は、枕用芯材の側生地に３次元立体メッシュを使用したことを特徴とする同２層芯材枕である。
【考案の効果】
【０００６】
本考案によれば、以下のような効果を有する。
（１）枕に２層の枕用芯材を備えることで、理想的な正しい睡眠をとるための枕を提供できる。すなわち、枕用芯材を２層とすることで型くずれのし難い枕となる。そして、その枕用芯材が、頭部を支持する頭部支持部と、頭部支持部の下端側に首部を支持する首部支持部を備えることで、首に負担をかけずに、正しい頸椎バランスを保つことができる。また、頭部支持部および首部支持部の両側にサイド部を備えることで、横向き寝や寝返りをうっても頭をしっかりと支えることができる。同様に、頭部支持部に後頭部フィットラインを形成したことで、枕と後頭部のなじみが良くなり、寝返り時もスムーズに頭を動かすことができる。また、枕用芯材の下端側に肩フィットラインを形成したことで、枕と肩ラインがフィットすることにより枕と一体感ができ、精神的な落ち着きが期待できる。
（２）また、頭部支持部，首部支持部，サイド部は、それぞれ袋状に形成され、その中に詰め込む詰物の組合せによって個人個人の好み・特性に応じた枕にできる。詰物には、ウールノップス，パイプ材，ビーズ材などを使用するとよい。
（３）さらに、枕用芯材の側生地に３次元立体メッシュを使用することで汗を素速く吸収・放散でき、汗で蒸れる状態を防止することができる。
【考案を実施するための最良の形態】
【０００７】
本考案の実施形態を図面に基づいて説明する。
図１〜３は、本考案の実施形態を示す平面図である。
図１は、本考案に係る２層芯材枕１０を示している。２層芯材枕１０は、カバー部材１９を被せてその中に枕用芯材２０，３０を２層備えている。
【０００８】
図２は、２層芯材枕１０を構成する１層の枕用芯材２０である。枕用芯材２０は、その中央部分に頭部を支持する頭部支持部２１と、頭部支持部２１の下端側に首部を支持する首部支持部２３を備える。また、頭部支持部２１および首部支持部２３の両側には、サイド部２４，２４を設ける。なお、サイド部２４は縦方向二分割に形成されている。そして、この枕用芯材２０の各構成部２１，２３，２４は袋状に形成され、その中に詰物としてパイプ材（図示省略）を詰め込んでいる。
【０００９】
図３は、２層芯材枕１０を構成するもう１層の枕用芯材３０である。枕用芯材３０は、その中央部分に頭部を支持する頭部支持部３１と、頭部支持部３１の下端側に首部を支持する首部支持部３３を備える。また、頭部支持部３１および首部支持部３３の両側には、サイド部３４，３４を設ける。そして、この枕用芯材３０の各構成部３１，３３，３４は袋状に形成され、その中に詰物としてウールノップス（図示省略）を詰め込んでいる。
【００１０】
このような構成からなる２層芯材枕１０の寸法の一例としては、横幅を７０ｃｍ、奥行きを３３〜４０ｃｍとするとよい。通常の枕より横幅を広くすることで、大きく寝返りをうってもしっかりと支えられ、通常の枕より奥行きを浅くすることで、頭部の熱をよりスムーズに逃がすことができるからである。
【００１１】
さらに、本枕用芯材２０，３０には、以下のような工夫を加えてもよい（図２及び図３を参照）。
第一に、頭部支持部２１に、その縦中心線上に凹状の後頭部フィットライン２２を形成する。後頭部フィットライン２２を形成したことで、枕と後頭部のなじみが良くなり、寝返り時もスムーズに頭を動かすことができる。
第二に、頭部支持部２１，３１と首部支持部２３，３３の境目を湾曲させて首フィットライン２５，３５を形成する。首フィットライン２５，３５を形成したことで、枕と首のラインがフィットし、違和感なく楽に仰向け寝ができる。
第三に、枕用芯材２０，３０の下端側を湾曲させて肩フィットライン２６，３６を形成する。肩フィットライン２６，３６を形成したことで、枕と肩ラインがフィットすることにより枕と一体感ができ、精神的な落ち着きが期待できる。
【００１２】
このような枕用芯材２０，３０は、その各構成部に詰物を詰め込み膨出させるようにしているが、その詰込量・詰込材によって２層芯材枕１０の使用感は異なってくる。図４及び図５は、その詰込量の一例を示している。図４は、枕用芯材２０における詰込量の対比、図５は、枕用芯材３０における詰込量の対比である。
【００１３】
詰物には、ウールノップス，パイプ材，ビーズ材などを単独又は組み合わせて使用するとよい。ただし、詰物はこれらに限られるものではない。
「ウールノップス」とは、天然羊毛わたを小さな球状に加工したものであって、抜群の吸湿・発散性をもっている。また、フィット性にも優れているので、頭や首を自然に支え、正しい頸椎バランスを保つことができる。さらに、家庭内でも手洗いでき、汚れやすい枕を清潔に保つことができる。
「パイプ材」とは、小さく短いパイプ状の樹脂材であり、通気性に優れ、蒸れずにサラッとした快適感を得られる。粒が細かく流動性があるので、頭・首の形状にフィットするとともに、復元快復力に富み、耐久性が良く長時間使用しても枕の高さが変わらない。
「ビーズ材」とは、小さく球状の樹脂材であり、流動性に優れているので通気性、放熱性が抜群である。また、軽量でビーズの触れ合う音も小さく、頭を点で支えるので自然なフィットが得られるとともに、復元快復力に富み、耐久性が良く長時間使用しても枕の高さが変わらない。なお、「パイプ材」および「ビーズ材」もノミやダニを寄せ付けず、ホコリが出にくいので、アレルギー体質に対しても安心である。
「組み合わせての使用」には、図１〜３の実施形態のように枕用芯材２０にはパイプ材、枕用芯材３０にはウールノップスを使用する一例の他に、例えば、頭部支持部２１（３１）および首部支持部２３（３３）にはパイプ材を、サイド部２４（３４）にはビーズ材を使用するなどでもよい。
【００１４】
その他、枕用芯材２０と枕用芯材３０のずれを防止するために、両者に１又は２以上の面ファスナーを備えるとよい。
また、枕用芯材２０，３０の側生地には通気性の良い３次元立体メッシュのものが好ましいが、これに限られるものではない。
【産業上の利用可能性】
【００１５】
本考案の構造は、広く理想的な正しい睡眠をとるために枕として幅広く利用されるものである。
【図面の簡単な説明】
【００１６】
【図１】本考案の実施形態を示す平面図（２層芯材枕１０）。
【図２】本考案の実施形態を示す平面図（枕用芯材２０）。
【図３】本考案の実施形態を示す平面図（枕用芯材３０）。
【図４】枕用芯材２０の詰込量を示す一例。
【図５】枕用芯材３０の詰込量を示す一例。
【符号の説明】
【００１７】
１０  ２層芯材枕    １９  カバー部材
２０  枕用芯材      ２１  頭部支持部      ２２  後頭部フィットライン
２３  首部支持部    ２４  サイド部        ２５  首フィットライン
２６  肩フィットライン
３０  枕用芯材      ３１  頭部支持部
３３  首部支持部    ３４  サイド部        ３５  首フィットライン
３６  肩フィットライン
【図１】
0003145973.tif 000003
【図２】
0003145973.tif 000004
【図３】
0003145973.tif 000005
【図４】
0003145973.tif 000006
【図５】
0003145973.tif 000007